(57)【要約】【課題】耐荷重性を向上させつつ壁面に固定する固定部材を隠す。【解決手段】壁面Ｗに設置される壁面収納１である。この壁面収納１は、壁面収納１の上下方向Ｚに延びて壁面Ｗに固定される縦板２Ａ，２Ｂと、縦板２Ａ，２Ｂの間において縦板２Ａ，２Ｂを壁面に固定する第一固定部材３Ａ，３Ｂと、縦板２Ａ，２Ｂの下端面２１Ａ，２１Ｂ及び壁面Ｗに固定される地板４と、縦板２Ａ，２Ｂの間において地板４を壁面Ｗに固定する第二固定部材５と、縦板２Ａ，２Ｂに嵌め込まれて第一固定部材３Ａ，３Ｂ及び第二固定部材５よりも壁面Ｗの反対側に配置される背板６と、縦板２Ａ，２Ｂの上端面２２Ａ，２２Ｂに固定される天板７と、を備える。【選択図】図４
2018104956.tif 000002
【特許請求の範囲】
【請求項１】
壁面に設置される壁面収納であって、
前記壁面収納の上下方向に延びて前記壁面に固定される一対の縦板と、
前記一対の縦板の間において前記縦板を前記壁面に固定する第一固定部材と、
前記一対の縦板の下端面及び前記壁面に固定される地板と、
前記一対の縦板の間において前記地板を前記壁面に固定する第二固定部材と、
前記一対の縦板に嵌め込まれて前記第一固定部材及び前記第二固定部材よりも前記壁面の反対側に配置される背板と、
前記一対の縦板の上端面に固定される天板と、を備える、
壁面収納。
【請求項２】
両端面が前記一対の縦板に固定される桟木を更に備え、
前記桟木は、前記背板の前記壁面側に配置されており、
前記桟木の上端面は、前記一対の縦板の上端面と面一である、
請求項１に記載の壁面収納。
【請求項３】
前記桟木は、前記壁面に固定される、
請求項２に記載の壁面収納。
【請求項４】
前記地板及び前記天板は、前記一対の縦板に対して着脱可能に固定される、
請求項１〜３の何れか一項に記載の壁面収納。
【請求項５】
壁面に壁面収納を設置する壁面収納の設置方法であって、
一対の縦板及び地板を前記壁面に固定するとともに、前記一対の縦板の下端面及び前記壁面に前記地板を固定する第一工程と、
前記第一工程の後に、前記一対の縦板に背板を嵌め込む第二工程と、
前記第二工程の後に、天板を前記一対の縦板の上端面に固定する第三工程と、を備え、
前記第一工程では、前記一対の縦板の間において第一固定部材により前記縦板を前記壁面に固定するとともに、前記一対の縦板の間において第二固定部材により前記地板を前記壁面に固定し、
前記第二工程では、前記第一固定部材及び前記第二固定部材よりも前記壁面の反対側に前記背板を配置する、
壁面収納の設置方法。
【発明の詳細な説明】
【技術分野】
【０００１】
本発明は、壁面に設置される壁面収納及び壁面収納の設置方法に関する。
【背景技術】
【０００２】
特許文献１には、オープン棚の壁面収納が記載されている。特許文献１に記載された壁面収納は、仕切部材と棚部材とが床から交互に積み重ねられて構成される。そして、棚部材が仕切部材と壁面とに固定されている。近年、室内空間の意匠性を向上させる観点から、床から浮かせるオープン棚の空間を演出したいとの要望がある。しかしながら、特許文献１に記載された壁面収納では、仕切部材と棚部材とが床から積み上げられるため、床から浮かせるオープン棚の空間を演出することができない。このような問題に対して、特許文献２には、床から浮いた位置に固定される吊戸棚の壁面収納が記載されている。特許文献２に記載された壁面収納では、収納キャビネットの下板及び上板がＬ字金具で壁面に固定されている。
【先行技術文献】
【特許文献】
【０００３】
【特許文献１】特開平０３−１５８１０９号公報
【特許文献２】特開２００１−１８６９４３号公報
【発明の概要】
【発明が解決しようとする課題】
【０００４】
しかしながら、特許文献２に記載された壁面収納では、水平棚である下板及び上板は上下に倒れやすいため、Ｌ字金具で下板及び上板を壁面に固定しても、下板及び上板の耐荷重性を十分に向上させることが難しい。しかも、特許文献２に記載された壁面収納では、下板及び上板を壁面に固定するＬ字金具が露出するため、意匠性を十分に向上させることができない。
【０００５】
そこで、本発明は、耐荷重性を向上させつつ壁面に固定する固定部材を隠すことができる壁面収納及び壁面収納の設置方法を提供することを目的とする。
【課題を解決するための手段】
【０００６】
本発明に係る壁面収納は、壁面に設置される壁面収納であって、壁面収納の上下方向に延びて壁面に固定される一対の縦板と、一対の縦板の間において縦板を壁面に固定する第一固定部材と、一対の縦板の下端面及び壁面に固定される地板と、一対の縦板の間において地板を壁面に固定する第二固定部材と、一対の縦板に嵌め込まれて第一固定部材及び第二固定部材よりも壁面の反対側に配置される背板と、一対の縦板の上端面に固定される天板と、を備える。
【０００７】
この壁面収納では、一対の縦板及び地板が第一固定部材及び第二固定部材により壁面に固定される。そして、一対の縦板は壁面収納の上下方向に延びるため、一対の縦板を壁面に固定することで、地板のみを壁面に固定する場合に比べて、壁面収納の耐荷重性を向上させることができる。しかも、第一固定部材及び第二固定部材は、一対の縦板の間に配置されるとともに背板の壁面側に配置されるため、一対の縦板、地板、天板及び背板により隠れる。これにより、壁面収納の意匠性を向上させることができる。
【０００８】
両端面が一対の縦板に固定される桟木を更に備え、桟木は、背板の壁面側に配置されており、桟木の上端面は、一対の縦板の上端面と面一であってもよい。この壁面収納では、一対の縦板の上端面と面一となる上端面を有する桟木が一対の縦板に固定されているため、一対の縦板は、桟木を介しても天板を支えることができる。これにより、天板の耐荷重性を向上させることができる。しかも、桟木は、両端面が一対の縦板に固定されるとともに背板の壁面側に配置されるため、一対の縦板及び背板により隠れる。このため、桟木が露出することによる意匠性の低下を防止することができる。
【０００９】
桟木は、壁面に固定されてもよい。この壁面収納では、桟木が壁面に固定されるため、桟木及び桟木に支持される天板が撓むのを抑制することができる。
【００１０】
地板及び天板は、一対の縦板に対して着脱可能に固定されてもよい。この壁面収納では、地板及び天板が一対の縦板に対して着脱可能に固定されるため、設置した壁面収納を容易に分解して取り外すことができる。
【００１１】
本発明に係る壁面収納の設置方法は、壁面に壁面収納を設置する壁面収納の設置方法であって、一対の縦板及び地板を壁面に固定するとともに、一対の縦板の下端面及び壁面に地板を固定する第一工程と、第一工程の後に、一対の縦板に背板を嵌め込む第二工程と、第二工程の後に、天板を一対の縦板の上端面に固定する第三工程と、を備え、第一工程では、一対の縦板の間において第一固定部材により縦板を壁面に固定するとともに、一対の縦板の間において第二固定部材により地板を壁面に固定し、第二工程では、第一固定部材及び第二固定部材よりも壁面の反対側に背板を配置する。
【００１２】
この壁面収納の設置方法では、一対の縦板及び地板を第一固定部材及び第二固定部材により壁面に固定する。そして、一対の縦板は壁面収納の上下方向に延びるため、一対の縦板を壁面に固定することで、地板のみを壁面に固定する場合に比べて、壁面収納の耐荷重性を向上させることができる。しかも、一対の縦板及び地板を壁面に固定した後に、背板を一対の縦板に嵌め込み、背板を一対の縦板に嵌め込んだ後に、天板を一対の縦板の上端面に固定する。このため、一対の縦板及び地板を壁面に固定した第一固定部材及び第二固定部材を、一対の縦板、地板、天板及び背板により隠すことができる。これにより、壁面収納の意匠性を向上させることができる。
【発明の効果】
【００１３】
本発明によれば、耐荷重性を向上させつつ壁面に固定する固定部材を隠すことができる。
【図面の簡単な説明】
【００１４】
【図１】実施形態の壁面収納の斜視図である。
【図２】実施形態の壁面収納の分解斜視図である。
【図３】実施形態の壁面収納の正面図である。
【図４】図３に示すＩＶ−ＩＶ線における横断面図である。
【図５】図３に示すＶ−Ｖ線における縦断面図である。
【図６】壁面収納の設置方法を説明するための図である。
【図７】壁面収納の設置方法を説明するための図である。
【図８】壁面収納の設置方法を説明するための図である。
【図９】壁面収納の設置方法を説明するための図である。
【図１０】壁面収納の設置方法を説明するための図である。
【図１１】変形例１の壁面収納の設置方法を説明するための図である。
【図１２】変形例１の壁面収納の設置方法を説明するための図である。
【図１３】変形例２の壁面収納の設置方法を説明するための図である。
【図１４】変形例２の壁面収納の設置方法を説明するための図である。
【図１５】変形例３の壁面収納の設置方法を説明するための図である。
【図１６】変形例３の壁面収納の設置方法を説明するための図である。
【図１７】変形例４の壁面収納の横断面図である。
【図１８】変形例５の壁面収納の横断面図である。
【図１９】変形例６の壁面収納の横断面図である。
【図２０】変形例７の壁面収納の横断面図である。
【図２１】変形例８の壁面収納の横断面図である。
【発明を実施するための形態】
【００１５】
以下、図面を参照して、実施形態の壁面収納について詳細に説明する。なお、全図中、同一または相当部分には同一符号を付し、重複する説明を省略する。
【００１６】
図１は、実施形態の壁面収納の斜視図である。図２は、実施形態の壁面収納の分解斜視図である。図３は、実施形態の壁面収納の正面図である。図４は、図３に示すＩＶ−ＩＶ線における横断面図である。図５は、図３に示すＶ−Ｖ線における縦断面図である。図１〜図５に示すように、本実施形態の壁面収納１は、室内等の壁面Ｗに設置されるオープン棚である。なお、以下の説明において、左右、上下、前後等の方向は、壁面Ｗに設置された壁面収納１における方向を示す。
【００１７】
壁面収納１は、一対の縦板２Ａ，２Ｂと、１又は複数の第一固定部材３（３Ａ，３Ｂ）と、地板４と、１又は複数の第二固定部材５と、背板６と、天板７と、第一桟木８と、第二桟木９と、を備える。
【００１８】
縦板２Ａ，２Ｂは、壁面収納１の上下方向Ｚ（図３における上下方向）及び前後方向Ｙ（図４における上下方向：前後方向は奥行き方向ともいう）に延びる矩形の板状部材により構成されている。縦板２Ａは、壁面収納１の右側（図３における右側）に配置される縦板である。縦板２Ｂは、壁面収納１の左側（図３における左側）に配置される縦板である。縦板２Ａと縦板２Ｂとは、互いに対向している。なお、縦板２Ａ，２Ｂは、側板ともいう。縦板２Ａの下端面２１Ａと縦板２Ｂの下端面２１Ｂとは、同じ水平面上に位置する。縦板２Ａの上端面２２Ａと縦板２Ｂの上端面２２Ｂとは、同じ水平面上に位置する。そして、縦板２Ａ，２Ｂは、第一固定部材３Ａ，３Ｂにより、壁面Ｗに固定されている。
【００１９】
第一固定部材３（３Ａ，３Ｂ）は、一対の縦板２Ａ，２Ｂの間において縦板２Ａ，２Ｂを壁面Ｗに固定する固定部材である。第一固定部材３Ａは、縦板２Ａを壁面Ｗに固定する。第一固定部材３Ｂは、縦板２Ｂを壁面Ｗに固定する。第一固定部材３Ａ，３Ｂとしては、如何なる固定部材を用いてもよいが、コスト及び施工性の観点から、Ｌ字金具を用いることが好ましい。このため、以下の説明では、第一固定部材３Ａ，３ＢとしてＬ字金具を用いるものとして説明する。
【００２０】
第一固定部材３Ａは、縦板２Ａの縦板２Ｂ側に配置される。そして、第一固定部材３Ａは、縦板２Ａの縦板２Ｂ側の内側面２３Ａと、縦板２Ａと縦板２Ｂとの間の壁面Ｗとに、固定される。第一固定部材３Ｂは、縦板２Ｂの縦板２Ａ側に配置される。そして、第一固定部材３Ｂは、縦板２Ｂの縦板２Ａ側の内側面２３Ｂと、縦板２Ａと縦板２Ｂとの間の壁面Ｗとに、固定される。なお、Ｌ字金具である第一固定部材３Ａ，３Ｂの固定は、例えば、ボルト締め、ビス止め等により行うことができる。
【００２１】
地板４は、壁面収納１の下側に配置される水平棚である。地板４は、壁面収納１の左右方向Ｘ（図３における左右方向：幅方向ともいう）及び前後方向Ｙに延びる矩形の板状部材により構成されている。地板４は、第二固定部材５により、壁面Ｗに固定されている。また、地板４は、縦板２Ａの下端面２１Ａ及び縦板２Ｂの下端面２１Ｂに固定されている。地板４は、縦板２Ａの下端面２１Ａ及び縦板２Ｂの下端面２１Ｂに対して着脱可能に固定されていてもよく、縦板２Ａの下端面２１Ａ及び縦板２Ｂの下端面２１Ｂに対して着脱不能に固定されていてもよい。
【００２２】
縦板２Ａの下端面２１Ａ及び縦板２Ｂの下端面２１Ｂに対して地板４を着脱可能に固定する場合は、例えば、ハーフェレ社のノックダウン金具（商品名：ミニフィックス１５）を用いることができる。具体的には、地板４にボルト（商品名：ミニフィックス１５用連結ボルト）を埋め込み、地板４の上面４１からボルトを突出させておく。一方、縦板２Ａ，２Ｂにアンカ（商品名：ミニフィックス１５ケーシング）を埋め込み、縦板２Ａ，２Ｂの下端面２１Ａ，２１Ｂにボルトが挿入される穴を形成しておく。そして、地板４から突出するボルトを、縦板２Ａ，２Ｂの下端面２１Ａ，２１Ｂに形成された穴に挿入して、縦板２Ａ，２Ｂに埋め込んだアンカに固定する。これにより、縦板２Ａの下端面２１Ａ及び縦板２Ｂの下端面２１Ｂに対して地板４を着脱可能に固定することができる。
【００２３】
縦板２Ａの下端面２１Ａ及び縦板２Ｂの下端面２１Ｂに対して地板４を着脱不能に固定する場合は、例えば、縦板２Ａの下端面２１Ａ及び縦板２Ｂの下端面２１Ｂからダボを突出させ、地板４の上面４１にダボが嵌め込まれるダボ穴を形成しておく。そして、縦板２Ａの下端面２１Ａ及び縦板２Ｂの下端面２１Ｂから突出するダボを、地板４の上面４１に形成されたダボ穴に嵌め込むとともに、ダボとダボ穴とを接着剤で接着する。これにより、縦板２Ａの下端面２１Ａ及び縦板２Ｂの下端面２１Ｂに対して地板４を着脱不能に固定することができる。この場合、更に、上述したハーフェレ社のノックダウン金具を用いて、縦板２Ａの下端面２１Ａ及び縦板２Ｂの下端面２１Ｂに対して地板４を固定してもよい。
【００２４】
左右方向Ｘにおいて、地板４は、縦板２Ａから縦板２Ｂの反対側に突出するとともに、縦板２Ｂから縦板２Ａの反対側に突出している。左右方向Ｘにおける地板４の縦板２Ａ，２Ｂから突出する長さＬ１（図３参照）は、特に限定されるものではなく、壁面収納１の意匠に応じて適宜選択される。但し、縦板２Ａ，２Ｂによる地板４の支持強度を十分に確保する観点から、左右方向Ｘにおいて、地板４の縦板２Ａ，２Ｂから突出する長さＬ１は、縦板２Ａの縦板２Ｂとは反対側の外側面２４Ａから縦板２Ｂの縦板２Ａとは反対側の外側面２４Ｂまでの長さＬ２の０．５倍以下であることが好ましい。
【００２５】
前後方向Ｙにおいて、地板４は、縦板２Ａ，２Ｂから壁面Ｗの反対側に突出している。前後方向Ｙにおける地板４の縦板２Ａ，２Ｂから突出する長さＬ３（図４参照）は、特に限定されるものではなく、壁面収納１の意匠に応じて適宜選択される。但し、縦板２Ａ，２Ｂによる地板４の支持強度を十分に確保する観点から、前後方向Ｙにおいて、地板４の縦板２Ａ，２Ｂから突出する長さＬ３は、縦板２Ａ，２Ｂの長さＬ４の０．５倍以下であることが好ましい。
【００２６】
第二固定部材５は、一対の縦板２Ａ，２Ｂの間において地板４を壁面Ｗに固定する固定部材である。第二固定部材５としては、如何なる固定部材を用いてもよいが、コスト及び施工性の観点から、Ｌ字金具を用いることが好ましい。このため、以下の説明では、第二固定部材５としてＬ字金具を用いるものとして説明する。
【００２７】
第二固定部材５は、地板４の上面４１側に配置される。そして、第二固定部材５は、地板４の上面４１と、縦板２Ａと縦板２Ｂとの間の壁面Ｗとに、固定される。なお、Ｌ字金具である第二固定部材５の固定は、例えば、ボルト締め、ビス止め等により行うことができる。
【００２８】
背板６は、壁面収納１の後側に配置される背板である。背板６は、壁面収納１の左右方向Ｘ及び上下方向Ｚに延びる矩形の板状部材により構成されている。背板６は、縦板２Ａ，２Ｂに嵌め込まれて、第一固定部材３Ａ，３Ｂ及び第二固定部材５よりも壁面Ｗの反対側（壁面収納１の前側）に配置されている。具体的に説明すると、縦板２Ａの内側面２３Ａには、上下方向Ｚに直線状に延びる溝２５Ａが形成されている。縦板２Ｂの内側面２３Ｂには、上下方向Ｚに直線状に延びる溝２５Ｂが形成されている。溝２５Ａ，２５Ｂは、第一固定部材３Ａ，３Ｂ及び第二固定部材５よりも壁面Ｗの反対側の、互いに対向する位置（前後方向Ｙにおいて同じ位置）に形成されている。そして、背板６の右側端部が溝２５Ａに嵌め込まれるとともに、背板６の左側端部が溝２５Ｂに嵌め込まれている。
【００２９】
縦板２Ａ，２Ｂに嵌め込まれた背板６の下端面６１は、縦板２Ａ，２Ｂの下端面２１Ａ，２１Ｂと面一となっている。つまり、背板６の下端面６１と縦板２Ａ，２Ｂの下端面２１Ａ，２１Ｂとは、同じ水平面上に位置する。縦板２Ａ，２Ｂに嵌め込まれた背板６の上端面６２は、縦板２Ａ，２Ｂの上端面２２Ａ，２２Ｂと面一となっている。つまり、背板６の上端面６２と縦板２Ａ，２Ｂの上端面２２Ａ，２２Ｂとは、同じ水平面上に位置する。
【００３０】
天板７は、壁面収納１の上側に配置される水平棚である。天板７は、壁面収納１の左右方向Ｘ及び前後方向Ｙに延びる矩形の板状部材により構成されている。天板７は、縦板２Ａの上端面２２Ａ及び縦板２Ｂの上端面２２Ｂに固定されている。天板７は、縦板２Ａの上端面２２Ａ及び縦板２Ｂの上端面２２Ｂに対して着脱可能に固定されていてもよく、縦板２Ａの上端面２２Ａ及び縦板２Ｂの上端面２２Ｂに対して着脱不能に固定されていてもよい。
【００３１】
縦板２Ａの上端面２２Ａ及び縦板２Ｂの上端面２２Ｂに対して天板７を着脱可能に固定する手段、及び縦板２Ａの上端面２２Ａ及び縦板２Ｂの上端面２２Ｂに対して天板７を着脱不能に固定する手段は、縦板２Ａの上端面２２Ａ及び縦板２Ｂの上端面２２Ｂに対して地板４を固定する場合と同様の手段とすることができる。また、天板７は、地板４と同じ形状を成している。左右方向Ｘ及び前後方向Ｙにおいて、縦板２Ａ，２Ｂに対する天板７の位置関係は、縦板２Ａ，２Ｂに対する地板４の位置関係と同様となっている。但し、天板７は、地板４と異なる形状を成していてもよく、縦板２Ａ，２Ｂに対して地板４とは異なる位置関係となっていてもよい。
【００３２】
第一桟木８は、縦板２Ａから縦板２Ｂまで左右方向Ｘに直線状に延びる桟木である。第一桟木８は、背板６の壁面Ｗ側に配置されており、その両端面が縦板２Ａ，２Ｂに固定されている。具体的には、第一桟木８の右端面は、縦板２Ａの内側面２３Ａに固定されており、第一桟木８の左端面は、縦板２Ｂの内側面２３Ｂに固定されている。第一桟木８の上端面８１は、縦板２Ａ，２Ｂの上端面２２Ａ，２２Ｂと面一となっている。つまり、第一桟木８の上端面８１と縦板２Ａ，２Ｂの上端面２２Ａ，２２Ｂとは、同じ水平面上に位置する。第一桟木８の壁面Ｗ側の後端面８２は、縦板２Ａ，２Ｂの壁面Ｗ側の後端面２６Ａ，２６Ｂと面一となっている。つまり、第一桟木８の後端面８２と縦板２Ａ，２Ｂの後端面２６Ａ，２６Ｂとは、同じ鉛直面上に位置する。第一桟木８は、壁面Ｗに固定されている。壁面Ｗに対する第一桟木８の固定は、例えば、ビス止め、接着等により行うことができる。
【００３３】
第二桟木９は、縦板２Ａから縦板２Ｂまで左右方向Ｘに直線状に延びる桟木である。第二桟木９は、第一桟木８と同様に、背板６の壁面Ｗ側に配置されており、その両端面が縦板２Ａ，２Ｂに固定されている。第二桟木９は、第一桟木８よりも下方に配置されている。そして、第二桟木９は、縦板２Ａ，２Ｂ及び第一桟木８とともに、壁面収納１の正面視において矩形の枠体を成している。これにより、縦板２Ａ，２Ｂ及び第一桟木８の形状保持性が高まる。なお、第二桟木９は、第一固定部材３Ａ，３Ｂ及び第二固定部材５と干渉しない位置に配置されている。
【００３４】
次に、図６〜図１０も参照して、壁面収納１の設置方法について説明する。図６〜図１０は、壁面収納の設置方法を説明するための図である。
【００３５】
まず、第一工程（Ｓ１）を行う。第一工程（Ｓ１）では、まず地板固定工程（Ｓ１１）を行い、次に縦板固定工程（Ｓ１２）を行う。
【００３６】
地板固定工程（Ｓ１１）では、まず、壁面Ｗに補助部材１１を取り付ける（図６参照）。補助部材１１は、地板４の位置決めを行うための部材であり、直線状に延びる棒状部材により構成されている。そして、補助部材１１の上端面が水平となるように、補助部材１１を配置する。なお、最終的に補助部材１１は壁面Ｗから取り外すため、壁面Ｗに対する補助部材１１の取り付けは、例えば、ビス止め、接着等の簡易な方法でよい。また、地板４の位置決めに問題が無ければ、又は、地板４の位置決めを行う必要が無ければ、壁面Ｗに補助部材１１を取り付けなくてもよい。
【００３７】
地板固定工程（Ｓ１１）では、次に、地板４を補助部材１１の上面に載せた状態で、第二固定部材５により地板４を壁面Ｗに固定する（図６参照）。第二固定部材５の数は、特に限定されないが、全ての第二固定部材５は、後工程の縦板固定工程（Ｓ１２）において地板４に固定される縦板２Ａ，２Ｂの間に配置されるようにする。
【００３８】
縦板固定工程（Ｓ１２）では、まず、縦板２Ａ，２Ｂ、第一桟木８及び第二桟木９をユニット１０として組み立てる（図７参照）。ユニット１０は、縦板２Ａ，２Ｂに第一桟木８及び第二桟木９が固定されたユニットである。なお、ユニット１０の組み立ては、どの段階で行ってもよく、例えば、補助部材取付工程（Ｓ１）の前に行ってもよい。
【００３９】
縦板固定工程（Ｓ１２）では、次に、ユニット１０を地板４に載置して、縦板２Ａ，２Ｂの下端面２１Ａ，２１Ｂを地板４の上面４１に固定し、第一固定部材３Ａ，３Ｂにより縦板２Ａ，２Ｂを壁面Ｗに固定し、第一桟木８を壁面Ｗに固定する（図８参照）。地板４、縦板２Ａ，２Ｂ、及び第一桟木８の固定順序は、特に限定されるものではなく、作業性等に鑑みて適宜選択することができる。第一固定部材３Ａ，３Ｂの数は、特に限定されないが、全ての第一固定部材３Ａ，３Ｂは、縦板２Ａ，２Ｂの間に配置されるようにする。
【００４０】
第一工程（Ｓ１）が終わると、次に、第二工程（Ｓ２）を行う。第二工程（Ｓ２）では、縦板２Ａ，２Ｂに背板６を嵌め込む（図９参照）。背板６が嵌め込まれる縦板２Ａ，２Ｂの溝２５Ａ，２５Ｂは、第一固定部材３Ａ，３Ｂ及び第二固定部材５よりも壁面Ｗの反対側に形成されているため、背板６を溝２５Ａ，２５Ｂに嵌め込むことで、背板６は、第一固定部材３Ａ，３Ｂ及び第二固定部材５よりも壁面Ｗの反対側に配置される。
【００４１】
第二工程（Ｓ２）が終わると、次に、第三工程（Ｓ３）を行う、第三工程（Ｓ３）では、天板７を縦板２Ａ，２Ｂの上端面２２Ａ，２２Ｂに固定する（図１０参照）。そして、壁面Ｗから補助部材１１を取り外す（図１参照）。これにより、壁面収納１の設置が終了する。
【００４２】
このように、本実施形態に係る壁面収納１では、縦板２Ａ，２Ｂ及び地板４が第一固定部材３Ａ，３Ｂ及び第二固定部材５により壁面Ｗに固定される。そして、縦板２Ａ，２Ｂは壁面収納１の上下方向Ｚに延びるため、縦板２Ａ，２Ｂを壁面Ｗに固定することで、地板４のみを壁面Ｗに固定する場合に比べて、壁面収納１の耐荷重性を向上させることができる。しかも、第一固定部材３Ａ，３Ｂ及び第二固定部材５は、縦板２Ａ，２Ｂの間に配置されるとともに背板６の壁面Ｗ側に配置されるため、縦板２Ａ，２Ｂ、地板４、天板７及び背板６により隠れる。これにより、壁面収納１の意匠性を向上させることができる。
【００４３】
また、縦板２Ａ，２Ｂの上端面２２Ａ，２２Ｂと面一となる上端面８１を有する第一桟木８が縦板２Ａ，２Ｂに固定されているため、縦板２Ａ，２Ｂは、第一桟木８を介しても天板７を支えることができる。これにより、天板７の耐荷重性を向上させることができる。しかも、第一桟木８は、両端面が縦板２Ａ，２Ｂに固定されるとともに背板６の壁面Ｗ側に配置されるため、縦板２Ａ，２Ｂ及び背板６により隠れる。このため、第一桟木８が露出することによる意匠性の低下を防止することができる。
【００４４】
また、第一桟木８が壁面Ｗに固定されるため、第一桟木８及び第一桟木８に支持される天板７が撓むのを抑制することができる。
【００４５】
また、地板４及び天板７が縦板２Ａ，２Ｂに対して着脱可能に固定される場合は、設置した壁面収納１を容易に分解して取り外すことができる。
【００４６】
以上、本発明の好適な実施形態について説明したが、本発明は上記実施形態に限定されるものではない。
【００４７】
例えば、上記実施形態では、第一工程（Ｓ１）の具体的な順序を説明したが、第一工程（Ｓ１）は、如何なる順序で行ってもよい。例えば、図１１及び図１２に示す変形例１のように、地板固定工程（Ｓ１１）と縦板固定工程（Ｓ１２）とを併せてもよく、図１３及び図１４に示す変形例２のように、地板固定工程（Ｓ１１）と縦板固定工程（Ｓ１２）との順序を入れ替えてもよい。
【００４８】
図１１及び図１２に示す変形例１の第一工程（Ｓ１）では、まず、縦板２Ａ，２Ｂ、第一桟木８、第二桟木９及び地板４をユニット１０Ａとして組み立てる（図１１参照）。ユニット１０Ａは、縦板２Ａ，２Ｂに第一桟木８及び第二桟木９が固定されるとともに、縦板２Ａ，２Ｂの下端面２１Ａ，２１Ｂに地板４が固定されたユニットである。次に、第二固定部材５により地板４を壁面Ｗに固定し、第一固定部材３Ａ，３Ｂにより縦板２Ａ，２Ｂを壁面Ｗに固定し、第一桟木８を壁面Ｗに固定する（図１２参照）。変形例１では、地板４がユニット１０Ａとして組み立てられるため、地板４の位置決めを行うための補助部材１１の代わりに、第一桟木８の位置決めを行う補助部材１１Ａを壁面Ｗに取り付けてもよい。この場合、補助部材１１Ａは、背板６の壁面Ｗ側に配置されるため、最終的に補助部材１１Ａを取り外さなくてもよい。
【００４９】
図１３及び図１４に示す変形例２の第一工程（Ｓ１）では、まず、縦板２Ａ，２Ｂ、第一桟木８及び第二桟木９からなるユニット１０を組み立てる。次に、ユニット１０の縦板２ａ，２ｂ及び第一桟木８を壁面Ｗに固定する（図１３参照）。次に、地板４を壁面Ｗ及び縦板２Ａ，２Ｂの下端面２１Ａ，２１Ｂに固定する（図１４参照）。変形例２では、地板４よりも先にユニット１０の縦板２ａ，２ｂ及び第一桟木８が壁面Ｗに固定されるため、変形例１と同様に、地板４の位置決めを行うための補助部材１１の代わりに、第一桟木８の位置決めを行う補助部材１１Ａを壁面Ｗに取り付けてもよい。この場合、補助部材１１Ａは、背板６の壁面Ｗ側に配置されるため、最終的に補助部材１１Ａを取り外さなくてもよい。
【００５０】
また、上記実施形態では、壁面収納１は第一桟木８及び第二桟木９を備えるものとして説明したが、壁面収納１は必ずしも第一桟木８及び第二桟木９を備えなくてもよい。例えば、第二桟木９が無い変形例３の場合、第一工程（Ｓ１）の縦板固定工程（Ｓ１２）では、まず、縦板２Ａ，２Ｂ及び第一桟木８をユニット１０Ｂとして組み立てる（図１５参照）。ユニット１０Ｂは、縦板２Ａ，２Ｂに第一桟木８が固定されたユニットである。次に、ユニット１０Ｂを地板４に載置して、縦板２Ａ，２Ｂの下端面２１Ａ，２１Ｂを地板４の上面４１に固定し、第一固定部材３Ａ，３Ｂにより縦板２Ａ，２Ｂを壁面Ｗに固定し、第一桟木８を壁面Ｗに固定する（図１６参照）。
【００５１】
また、上記実施形態では、地板４及び天板７は、左右方向Ｘ及び前後方向Ｙにおいて縦板２Ａ，２Ｂから突出しているものとして説明したが、図１７に示す変形例４の壁面収納１Ａのように、地板４及び天板７は、左右方向Ｘにおいて縦板２Ａ，２Ｂから突出していなくてもよく、前後方向Ｙにおいて縦板２Ａ，２Ｂから突出していなくてもよい。この場合、縦板２Ａ，２Ｂは、壁面収納１Ａの左右端部に配置される側板となる。
【００５２】
また、上記実施形態では、背板６は、縦板２Ａと縦板２Ｂとの間にのみ配置されるものとして説明したが、図１８に示す変形例５の壁面収納１Ｂのように、縦板２Ａと縦板２Ｂとの間に配置される背板６に加えて、縦板２Ａの縦板２Ｂとは反対側に配置される背板６Ａと、縦板２Ｂの縦板２Ａとは反対側に配置される背板６Ｂと、を更に備えてもよい。この場合、背板６Ａ及び背板６Ｂの壁面Ｗ側は、背板６Ａ及び背板６Ｂにより隠れるため、背板６Ａ及び背板６Ｂの壁面Ｗ側でも、第一固定部材３及び第二固定部材５により縦板２Ａ，２Ｂ及び地板４を壁面Ｗに固定してもよい。
【００５３】
また、上記実施形態では、壁面収納１は、一対の縦板を備えるものとして説明したが、縦板の数は限定されるものではない。例えば、図１９に示す変形例６の壁面収納１Ｃは、３枚の縦板２Ａ，２Ｂ，２Ｃを備える。この場合、地板４は、３枚の縦板２Ａ，２Ｂ，２Ｃの下端面に固定され、天板７は、３枚の縦板２Ａ，２Ｂ，２Ｃの上端面に固定される。そして、縦板２Ａ及び縦板２Ｂに背板６が嵌め込まれるとともに、縦板２Ｂ及び縦板２Ｃに背板６が嵌め込まれる。また、図２０に示す変形例７の壁面収納１Ｄは、４枚の縦板２Ａ，２Ｂ，２Ｃ，２Ｄを備える。この場合、地板４は、４枚の縦板２Ａ，２Ｂ，２Ｃ，２Ｄの下端面に固定され、天板７は、４枚の縦板２Ａ，２Ｂ，２Ｃ，２Ｄの上端面に固定される。そして、縦板２Ｂと縦板２Ｃとが隣接されて、縦板２Ａ及び縦板２Ｂに背板６が嵌め込まれるとともに、縦板２Ｃ及び縦板２Ｄに背板６が嵌め込まれる。なお、図２０に示す変形例７の壁面収納１Ｄにおいて、縦板２Ａ，２Ｂに固定される地板４及び天板７と、縦板２Ｃ，２Ｄに固定される地板４及び天板７とを、別部材とすれば、複数（２つ）の独立した壁面収納を左右方向Ｘに組み合わせたものとなる。
【００５４】
また、図２１に示す変形例８の壁面収納１Ｅのように、複数の壁面収納を上下方向Ｚに組み合わせてもよい。この場合、上下に隣接する一対の壁面収納の間で、下側の壁面収納の天板７と上側の壁面収納の地板４とを一枚の板材で共用してもよく、下側の壁面収納の天板７と上側の壁面収納の地板４とを別部材としてもよい。なお、図２１では、下側の壁面収納の天板７と上側の壁面収納の地板４とを一枚の板材で共用したものを示している。
【符号の説明】
【００５５】
１，１Ａ，１Ｂ，１Ｃ，１Ｄ，１Ｅ…壁面収納、２Ａ，２Ｂ，２Ｃ…縦板、２１Ａ，２１Ｂ…下端面、２２Ａ，２２Ｂ…上端面、２３Ａ，２３Ｂ…内側面、２４Ａ，２４Ｂ…外側面、２５Ａ，２５Ｂ…溝、２６Ａ，２６Ｂ…後端面、３Ａ，３Ｂ…第一固定部材、４…地板、４１…上面、５…第二固定部材、６，６Ａ，６Ｂ…背板、６１…下端面、６２…上端面、７…天板、８…第一桟木（桟木）、８１…上端面、８２…後端面、９…第二桟木、１０，１０Ａ，１０Ｂ…ユニット、１１，１１Ａ…補助部材、Ｗ…壁面、Ｘ…左右方向、Ｙ…前後方向、Ｚ…上下方向。
【図１】
2018104956.tif 000003
【図２】
2018104956.tif 000004
【図３】
2018104956.tif 000005
【図４】
2018104956.tif 000006
【図５】
2018104956.tif 000007
【図６】
2018104956.tif 000008
【図７】
2018104956.tif 000009
【図８】
2018104956.tif 000010
【図９】
2018104956.tif 000011
【図１０】
2018104956.tif 000012
【図１１】
2018104956.tif 000013
【図１２】
2018104956.tif 000014
【図１３】
2018104956.tif 000015
【図１４】
2018104956.tif 000016
【図１５】
2018104956.tif 000017
【図１６】
2018104956.tif 000018
【図１７】
2018104956.tif 000019
【図１８】
2018104956.tif 000020
【図１９】
2018104956.tif 000021
【図２０】
2018104956.tif 000022
【図２１】
2018104956.tif 000023